(57)【要約】【課題】  電話交換装置において多数のＳＩＭカード利用者の内線相互通話を可能にする。【解決手段】  内線電話機２０はＳＩＭカード４０を装着可能とする。ＳＩＭカード４０を装着した内線電話機２０はＳＩＭカード４０に記録されているＳＩＭカード情報を電話交換装置１０に送信する。電話交換装置１０は、受けたＳＩＭカード情報をメモリ１７に取り込み、携帯電話機と同様にＳＩＭカード４０の所在地を無線基地局５０に登録する。メモリ１７のＳＩＭカード情報では内線電話機の内線番号に対応して携帯電話番号及びカード装着の有無を記録し、発着呼状況に応じて内線番号又は携帯電話番号を相互に照合し、内線接続又は無線基地局接続を選択してその呼処理を実行する。【選択図】      図１
2008061059.tif 000002
【特許請求の範囲】
【請求項１】
携帯電話サービス用ＳＩＭカードを利用した交換システムにおいて、
前記ＳＩＭカードを装着可能でその着脱を通知すると共に装着の際にはそのカードに記録された所定のカード情報を送出する少なくとも一つの内線電話機と、
前記内線電話機を収容し接続すると共に、携帯電話サービス用の無線基地局とインタフェース可能で、前記カードの装着により前記内線電話機から前記カード情報を受けた際には前記無線基地局にそのカード情報を送信して登録し、前記ＳＩＭカード装着の内線電話機を前記無線基地局に対して前記ＳＩＭカード装着の携帯電話機として発着呼処理する電話交換装置と
を備えることを特徴とする交換システム。
【請求項２】
請求項１に記載の交換システムにおいて、
前記電話交換装置は、前記内線電話機から送出された前記カードの着脱情報と装着されたカードに記録された携帯電話番号とを記録するメモリと、電話交換装置の交換接続を制御する呼制御回路とを有し、
前記呼制御回路は、前記カード情報を前記内線電話機から受けた際に受付けした携帯電話番号を「カード装着」情報と共に前記内線電話機の内線番号に対応させて前記メモリに記録し、かつ受けたカード情報に基づいて前記無線基地局に前記ＳＩＭカードの位置登録を行い、内線電話機から内線番号による発呼を受付けした際には前記メモリで「カード装着」有りを確認して内線接続する一方、内線電話機から携帯電話番号により発呼を受付けの際には前記メモリで「カード装着」有りを確認したうえ、発呼の際の携帯電話番号をそれに対応する内線番号に変換してその内線番号で呼出し処理する手段を有する
ことを特徴とする交換システム。
【請求項３】
請求項２に記載の交換システムにおいて、前記呼制御回路は、内線電話機から内線番号での発呼を受付けした際に前記メモリでその内線番号対応には「カード装着」なしであるが携帯電話番号の登録がある場合には、宛先電話番号として受付けした内線番号をその登録された携帯電話番号に変換して前記無線基地局に対して呼接続要求する手段を有することを特徴とする交換システム。
【請求項４】
請求項２に記載の交換システムにおいて、前記呼制御回路は、内線電話機から携帯電話番号での発呼を受付けした際に前記メモリで、その内線番号対応に携帯電話番号の登録がない場合又はその内線番号対応に携帯電話番号の登録があっても「カード装着」なしの場合には、受付けした携帯電話番号により前記無線基地局に対して呼接続要求する手段を有することを特徴とする交換システム。
【請求項５】
請求項２に記載の交換システムにおいて、前記呼制御回路は、前記無線基地局から携帯電話番号に対する着呼を受付けした際に、前記メモリでその着呼で受付けした携帯電話番号の登録がありかつ「カード装着」ありの場合には、受付けした携帯電話番号をその番号に対応する内線番号に変換してその内線番号で呼出し処理する手段を有することを特徴とする交換システム。
【請求項６】
請求項２に記載の交換システムにおいて、前記呼制御回路は、
内線電話機から内線番号での発呼を受付けした際に前記メモリでその内線番号対応には「カード装着」なしであるが携帯電話番号の登録がある場合には、宛先電話番号として受付けした内線番号をその登録された携帯電話番号に変換して前記無線基地局に対して呼接続要求する手段と、
内線電話機から携帯電話番号での発呼を受付けした際に前記メモリで、その内線番号対応に携帯電話番号の登録がない場合又はその内線番号対応に携帯電話番号の登録があっても「カード装着」なしの場合には、受付けした携帯電話番号により前記無線基地局に対して呼接続要求する手段と、
前記無線基地局から携帯電話番号に対する着呼を受付けした際に、前記メモリでその着呼で受付けした携帯電話番号の登録がありかつ「カード装着」ありの場合には、受付けした携帯電話番号をその番号に対応する内線番号に変換してその内線番号で呼出し処理する手段と
を有することを特徴とする交換システム。
【請求項７】
携帯電話サービス用ＳＩＭカードを利用した交換システムに用いるものであって、前記ＳＩＭカードを装着する装着部を有すると共に、ＳＩＭカードを着脱の際に着脱情報を送出し、少なくともＳＩＭカードを装着した際には装着したＳＩＭカードからその携帯電話番号を含むシステムに必要な契約者情報をカード情報として読み取って接続先の電話交換装置へ送出するＳＩＭカード通信部を備えることを特徴とする内線電話機。
【請求項８】
携帯電話サービス用ＳＩＭカードを利用した交換システムに用いる電話交換装置であって、その電話交換装置は、前記ＳＩＭカードを搭載可能な少なくとも一つの内線電話機を収容して接続する内線ＩＦと、少なくとも一つの無線回線を無線基地局と接続する無線基地局ＩＦと、前記内線電話機からＳＩＭカードの着脱に基づいて受ける「カード装着」情報とＳＩＭカード情報とを内線番号に対応させて記録するメモリと、かつ交換接続を制御する呼制御回路とを有し、
前記呼制御回路は、
前記内線電話機から前記カード情報を受付けした際に受けた携帯電話番号を内線番号に対応させて前記「カード装着」情報と共に前記メモリに記録し、かつ受けたカード情報に基づいて前記無線基地局に位置登録し、内線電話機から内線番号での発呼を受付けした際には前記メモリで「カード装着」有りを確認して内線接続する一方、内線電話機から携帯電話番号による発呼を受付けの際には前記メモリで「カード装着」有りを確認したうえ、発呼の際に受付けした携帯電話番号をそれに対応する内線番号に変換してその内線番号で呼出し処理する手段と、
内線電話機から内線番号により発呼を受付けした際に、前記メモリでその内線番号対応には「カード装着」なしであるが携帯電話番号の登録がある場合には宛先電話番号として受付けした内線番号をその登録された携帯電話番号に変換して前記無線基地局に対して呼接続要求する手段と、
内線電話機から携帯電話番号により発呼を受付けした際に、前記メモリでその内線番号対応に携帯電話番号の登録がない場合又はその内線番号対応に携帯電話番号の登録があっても「カード装着」なしの場合には、受付けした携帯電話番号により前記無線基地局に対して呼接続要求する手段と、
前記無線基地局から携帯電話番号での着呼を受付けした際に、前記メモリでその携帯電話番号対応に受付けした携帯電話番号の登録がありかつ「カード装着」ありの場合には、受付けした携帯電話番号をその番号に対応する内線番号に変換してその内線番号で呼出し処理する手段と
を有することを特徴とする電話交換装置。
【発明の詳細な説明】
【技術分野】
【０００１】
本発明は、ＳＩＭ（Subscriber Identity Module）カードを用いて携帯電話の電話番号を内線電話の電話番号として利用可能な家庭内又は企業内といった宅内の電話交換システムに関するものである。
【背景技術】
【０００２】
ＳＩＭカードは、携帯電話会社が発行する、契約者情報を記録したＩＣカードであり、携帯電話機に差し込んで利用者の識別に使われる。従って、ＳＩＭカードは契約者情報として契約された加入者電話番号を記録しており、ＳＩＭカードの差し替えにより、複数の通信端末を同じ契約者扱いで利用することができる。
【０００３】
従来の携帯電話サービス用ＳＩＭカードを利用した交換システムとしては、例えば無線通信システムとして、特開２００１−１９７５５７号公報（特許情報１）に開示されたものがある。
【０００４】
この通信システムについて図７を参照して概要を説明する。
【０００５】
この方式での電話交換装置１１０は、家庭用無線基地局であり、一方に内線ＩＦ（インタフェース）１１２を介して一つ又はそれ以上の内線電話機１２０及び無線ＩＦ１１３を介して内線又は子機として接続される携帯電話機１３０を、他方に局用電話回線の一つ又はそれ以上を外線６０として、それぞれ接続する。また、電話交換装置１１０は、無線ＩＦ１１３を介して無線基地局５０と内線子機設定された携帯電話機１３０との両者に無線回線で通信可能な基地局制御部１１６を有し、かつ、携帯電話機１３０に装着するＳＩＭカード４０を装着可能なカードＩＦ部１１７を有する。基地局制御部１１６は、一方に内線制御部１１５を、他方にカードＩＦ部１１７をそれぞれ接続して無線基地局５０機能の一部を実現する。すなわち、基地局制御部１１６は、無線ＩＦ１１３を介して接続する携帯電話機１３０を電話交換装置１１０の内線子機として扱う。一方、基地局制御部１１６は、無線基地局５０に対して無線ＩＦ１１３を介して無線回線状況を監視し、電話交換装置１１０を携帯電話機とする機能を有する。従って、基地局制御部１１６は、携帯電話機１３０に対し無線ＩＦ１１３を介して無線基地局５０にインタフェース可能な機能を有し、携帯電話機１３０の携帯電話番号による発着呼を可能にしている。
【０００６】
一方、携帯電話機１３０では、電話交換装置１１０と通信する場合には自衛接続、公衆網の無線基地局５０と通信する場合には公衆接続に内部で切換えする。公衆接続でＳＩＭカード４０が装着された場合、携帯電話機１３０は無線基地局５０と直接通信して、その位置登録をすると共に通常の携帯電話同様、直接の発着呼が可能である。ＳＩＭカード４０を取り外して自衛接続とした場合、携帯電話機１３０は、そのＳＩＭカード４０を装着した電話交換装置１１０と通信して所定の内線又は子機の登録を行い、電話交換装置１１０における内線又は子機と同様の発着呼が無線回線を介して可能となる。同時に、携帯電話機１３０は、電話交換装置１１０のＳＩＭカードにより無線基地局５０と通信することもできる。
【０００７】
すなわち、基地局制御部１１６は、カードＩＦ部１１７にＳＩＭカード４０を装着した際にカードの契約者情報を読み込んで無線基地局５０における機能の一部を実現する。その後、基地局制御部１１６は携帯電話機１３０へ内線設定に必要な情報を送るので、携帯電話機１３０は公衆接続を、自営接続に切替えて内線としての自動設定が行われる。その結果、携帯電話機１３０は、電話交換装置１１０の内線又は子機としてその発着呼が可能となると共に、無線基地局５０に対して電話交換装置１１０を介して携帯電話機１３０の動作も可能である。
【０００８】
一方では、電話交換装置１１０に装着されたＳＩＭカードに対応する携帯電話機１３０は内線番号が割り当てられるので、内線相互接続が可能である。他方、内線設定された携帯電話機１３０は外線での発着呼ができる。携帯電話機１３０の携帯電話番号による着呼は、移動通信における転送サービスを活用することにより可能である。すなわち、携帯電話番号からＳＩＭカードを搭載した電話交換装置１１０の内線番号へ転送するサービスを利用することにより、外線６０から転送着呼させることができる。
【０００９】
上述した機能構成では、電話交換装置にＳＩＭカードを装着し、そのカードから直接ＳＩＭカード情報が読み取られている。従って、利用できる携帯電話機又はそれに使用されるＳＩＭカードの数により電話交換装置のハードウェア規模が増大する。また、内線設定される際、ＳＩＭカードと携帯電話機とが分離されるので、複数のＳＩＭカードが順次装着される場合、各ＳＩＭカードに対応付ける情報が必要である。また、ＳＩＭカードの装着が電話交換装置なので、家庭内のボタン電話装置などでは問題ない。しかし、企業規模の場合には、ＳＩＭカード装着のため、ＳＩＭカードの装着部を出退勤カード又はタイムレコーダの位置に設けることは可能であるが、利用者が電話交換装置まで出向かねばならない。更に、携帯電話機における携帯電話番号による外線経由の発着呼では、外線先の電話網を経由して携帯電話網に接続されるので、通話料金の加算は免れない。
【００１０】
【特許文献１】特開２００１−１９７５５７号公報
【発明の開示】
【発明が解決しようとする課題】
【００１１】
解決しようとする課題は、ＳＩＭカードが電話交換装置側のための装着の不便さ、電話交換装置のハードウェア規模の拡張、既存のＳＩＭカードの内線に対する不完全対応、などの回避を可能にすることである。更に、内線番号と携帯電話番号との経済性を配慮した自動選択を可能にすることである。
【課題を解決するための手段】
【００１２】
本発明は、特に企業内で複数の契約者のＳＩＭカードを電話交換装置の内線それぞれに対応させて利用可能とするために、携帯電話サービス用ＳＩＭカードを利用する交換システムであって、前記ＳＩＭカードを装着可能で着脱の際にカード装着情報を送出すると共にそのカードに記録された所定のカード情報を送出する少なくとも一つの内線電話機と、その内線電話機を収容接続し携帯電話サービス用の無線基地局とインタフェース可能な電話交換装置とを備えることを主要な特徴とする。
【００１３】
このため、本発明による電話交換装置は、前記カードの装着により前記内線電話機から前記カード情報を受けた際には前記無線基地局にそのカード情報を送信して登録し、前記ＳＩＭカード装着の内線電話機を前記無線基地局に対して前記ＳＩＭカード装着の携帯電話機として発着呼処理している。
【００１４】
このような構成により、企業規模に相当する電話交換装置であればＳＩＭカード情報のメモリ領域のみ増加でありハードウェアの拡張は不必要である。かつ、その内線電話機はＳＩＭカードの装着が可能なので必要数の配備でよいばかりか、内線電話機とＳＩＭカードとの対応は完全に一致する。また、無線基地局は、自己のセルエリア内に電話交換装置に接続される複数の携帯電話機を所在させることとなり、ＳＩＭカードの差替えにより、複数の通信端末を同じ契約者扱いで処理することができる。ＳＩＭカードを内線電話機に差し込んで利用者の識別に使われることによって、上記電話交換装置を介した内線電話機が無線基地局における携帯電話機として機能可能である。このことは、ＳＩＭカードの契約者が、携帯電話機だけではなく、内線電話機でも携帯電話機におけると同様の機能を享受できることになる。
【００１５】
また、前記電話交換装置は、前記内線電話機から送出された前記カードの着脱情報と装着されたカードに記録された携帯電話番号とを記録するメモリと、電話交換装置の交換接続を制御する呼制御回路とを有している。その呼制御回路は、前記カード情報を前記内線電話機から受けた際に受付けした携帯電話番号を「カード装着」情報と共に前記内線電話機の内線番号に対応させて前記メモリに記録し、かつ受けたカード情報に基づいて前記無線基地局に前記ＳＩＭカードの位置登録を行い、内線電話機から内線番号による発呼を受付けした際には前記メモリで「カード装着」有りを確認して内線接続する一方、内線電話機から携帯電話番号により発呼を受付けの際には前記メモリで「カード装着」有りを確認したうえ、発呼の際の携帯電話番号をそれに対応する内線番号に変換してその内線番号で呼出し処理する手段を有する。
【００１６】
このような構成により、電話交換装置では「カード装着」有りの条件で、内線電話機が有する内線番号及び携帯電話番号のいずれの番号によっても該当する内線電話機を自動的に呼び出すことができるので、番号選択の煩わしさがない。
【００１７】
更に、前記呼制御回路は、内線電話機から内線番号での発呼を受付けした際に前記メモリでその内線番号対応には「カード装着」なしであるが携帯電話番号の登録がある場合には、宛先電話番号として受付けした内線番号をその登録された携帯電話番号に変換して前記無線基地局に対して呼接続要求する手段を有することができる。
【００１８】
また、前記呼制御回路は、内線電話機から携帯電話番号での発呼を受付けした際に前記メモリで、その内線番号対応に携帯電話番号の登録がない場合又はその内線番号対応に携帯電話番号の登録があっても「カード装着」なしの場合には、受付けした携帯電話番号により前記無線基地局に対して呼接続要求する手段を有することができる。
【００１９】
また、前記呼制御回路は、前記無線基地局から携帯電話番号に対する着呼を受付けした際に、前記メモリでその着呼で受付けした携帯電話番号の登録がありかつ「カード装着」ありの場合には、受付けした携帯電話番号をその番号に対応する内線番号に変換してその内線番号で呼出し処理する手段を有することができる。
【００２０】
このような構成により、電話交換装置では「カード装着」なしの条件でも、内線電話機が有する内線番号及び携帯電話番号のいずれの番号によっても該当する内線電話機を自動的に呼び出すことができるので、番号選択の煩わしさがない。更に、携帯電話番号により前記無線基地局に対して呼接続要求するので、課金が複数の電話会社にまたがることがなく、経済性がよい。
【発明の効果】
【００２１】
本発明の携帯電話サービス用ＳＩＭカードを利用した交換システムは、ＳＩＭカードを装着可能で着脱の際にカード装着情報を送出し、装着の際にはそのカードに記録された所定のカード情報を送信する少なくとも一つの内線電話機と、その内線電話機を収容し接続してＳＩＭカードのカード情報を無線基地局に登録可能な電話交換装置とを備えるため、ＳＩＭカード装着の内線電話機を無線基地局に対してＳＩＭカード装着の携帯電話機として発着呼処理ができるので、電話交換装置にＳＩＭカード装着可能な複数の内線電話機を収容可能であり、内線電話機数のＳＩＭカード契約者が宅内の電話交換装置における内線相互接続を可能にしている。また、内線電話機対応に内線番号と携帯電話番号とが登録されているため相互変換可能なので、内線接続には内線番号で呼出し処理し、内線呼出し以外では携帯電話番号により携帯電話網の無線基地局に呼接続処理を実行できる。従って、本発明による電話交換システムでは、利用者が内線番号と携帯電話番号とを意識して選択使用することが不要であり、かつ、課金上の経済性がよいという効果もある。
【発明を実施するための最良の形態】
【００２２】
本実施の形態では、宅内で多数の契約者のＳＩＭカードが電話交換装置の内線として利用可能になるうえ、利用者が内線番号及び携帯電話番号の区別を意識することなく、自動的に経済的な電話網を選択接続するという目的を実現する。本交換システムの内線電話機は、ＳＩＭカードを装着可能で着脱の際にカード装着情報を送出し、装着の際にそのカードに記録された所定のカード情報を送出する。電話交換装置は、上記内線電話機を収容し接続してＳＩＭカードのカード情報を受けて保存し無線基地局に登録可能なものである。その結果、ＳＩＭカードを装着した内線電話機は内線電話機相互間を電話交換装置のみでかつ内線番号で接続可能である一方、携帯電話番号でもその接続ができる。
【００２３】
以下に、図面を参照して実施例を説明するが、図面は紙面の都合上、装置で必須の機能でもその図示が省略されたものがある。また、本発明の趣旨に沿ったものであれば、ブロックで表示されている機能の併合又は分割、また、その手順も平行動作又は前後の入替えなど、その変更が自由であり、下記説明が本発明を限定するものではない。
【実施例１】
【００２４】
本発明の実施例１について図１を参照して説明する。
【００２５】
図１は、本発明による交換システムの実施の一形態をブロックで示す説明図である。
【００２６】
図示される交換システムは、電話交換装置１０及び複数の内線電話機２０で構成され、内線電話機２０には携帯電話機３０に使用されるＳＩＭカード４０が装着可能である。ＳＩＭカード４０は、携帯電話会社が発行する契約者情報を記録したカードであり、電話機に差し込んで利用契約者の識別に使われる。従って、ＳＩＭカード４０は契約者情報として契約された携帯電話番号を記録している。ＳＩＭカード４０を装着した携帯電話機３０は契約した携帯電話会社の無線基地局５０と通信できる。それ故、内線電話機２０を接続する電話交換装置１０はＳＩＭカード４０が有するカード情報により無線基地局５０と通信できる。電話交換装置１０は、企業内電話交換機又は家庭内のボタン電話装置であり、従来同様、電話交換局の加入者回線を外線６０として収容し接続している。
【００２７】
電話交換装置１０は、ＳＷ（スイッチ）１１、内線ＩＦ（インタフェース）１２、無線基地局ＩＦ１３、外線ＩＦ１４、呼制御回路１５、ＣＰＵ（プロセッサ）１６、及びメモリ１７を有する。
【００２８】
ＳＷ１１は、内線ＩＦ１２、無線基地局ＩＦ１３、及び外線ＩＦ１４を収容し、それぞれの回線を呼制御回路１５の制御を受けて相互接続しかつ解放する。内線ＩＦ１２は、少なくとも一つの内線電話機２０を外部に接続し、内部では呼制御回路１５と信号を授受する。内線電話機２０は後述するようにＳＩＭカードを装着可能である。無線基地局ＩＦ１３は、外部の無線基地局５０と携帯電話事業者による無線回線で接続し、ＳＩＭカードはその携帯電話事業者との契約で作成される。従って、無線基地局５０は、ＳＩＭカード４０を装着した内線電話機２０を携帯電話機と見なして無線回線及び無線基地局ＩＦ１３を介して電話交換装置１０に接続し動作する。外線ＩＦ１４は、電話交換機と接続する有線回線である外線６０を収容し接続する。
【００２９】
呼制御回路１５は、内線ＩＦ１２、無線基地局ＩＦ１３、及び外線ＩＦ１４を介して電話交換装置１０に接続する回線と信号を授受し、ＣＰＵ１６と接続してＳＷ１１を制御し内線電話機２０における発着呼処理を制御する。ＣＰＵ１６は、呼制御回路１５と接続して電話の発着呼処理制御以外の機能をプログラム制御により実行する。すなわち、本発明でのＣＰＵ１６は、ＳＩＭカード情報領域を有するメモリ１７と接続して発着呼対象の内線電話機２０に、ＳＩＭカード情報領域に記録されているＳＩＭカードの着脱情報及び登録有無情報、並びにＳＩＭカード情報それぞれの記録に基づいて機能を実行し、内線電話機２０相互及び無線基地局５０経由それぞれの発着呼処理制御に携帯電話番号の利用が可能にされている。詳細は、フローチャートを参照して後に説明する。
【００３０】
図２は、メモリ１７の内線対応ＳＩＭカード情報領域１７Ａの実施の一形態をテーブル形式で示す図である。図示されるテーブルでは、各内線に対応し、内線符号、内線番号、登録種別、携帯電話番号、およびカード装着の各項目領域が設けられる。内線符号は、例えば内線ＩＦ１２における内線ポート番号であり、内線電話機の接続有無に関わらず交換機規模に応じて存在する。内線番号は、内線に電話機が接続された際に登録される。
【００３１】
登録種別には、その内線に常時固定して携帯電話番号が登録される「固定」とＳＩＭカードの装着により誰でも利用可能な「共用」とがある。登録種別「固定」の内線電話機２０は、例えば企業役員又は管理者に利用される。登録種別「固定」の携帯電話番号領域には、その管理者の所持するＳＩＭカードにある携帯電話番号がカード装着の「有無」に無関係に登録されている。登録種別「共用」の携帯電話番号領域には、内線電話機２０で装着されたＳＩＭカードから得られた携帯電話番号が登録され、ＳＩＭカードの装着がない場合には記録がない。カード装着領域には、その内線の内線電話機２０におけるＳＩＭカード装着「有無」が記録される。
【００３２】
従って、内線番号及び登録種別は内線電話機２０が実用に提供される際に設置工事者により登録される。携帯電話番号は、登録種別が「固定」の場合には設置工事者により登録され内線電話機２０に最初にＳＩＭカードが装着された際に番号確認される。登録種別が「共有」の場合にはその内線電話機２０にＳＩＭカードが装着中のみ、そのＳＩＭカードから取得の携帯電話番号がＣＰＵ１６により登録される。カード装着は、対応する内線電話機２０にＳＩＭカードが装着中のみ「有り」が記録され、それ以外は「無」が記録されている。
【００３３】
現在、各領域には図示されるように記録されているものとする。内線符号「２０−１」には、内線番号「２００１」と登録種別「固定」と携帯電話番号「０９０−１１１１−０２０１」とカード装着「有り」とが記録されている。内線符号「２０-２」には、内線番号「２００２」と登録種別「固定」と携帯電話番号「０９０−１１１１−０２０２」とカード装着「無」とが記録されている。内線符号「２０-３」には、内線番号「２００３」と登録種別「共用」とカード装着「無」とが登録されており携帯電話番号は空欄としている。また、内線符号「２０-ｎ」には、内線番号「２０ＮＮ」と登録種別「共用」と携帯電話番号「０９０−１１１１−０ＮＮＮ」とカード装着「有り」とが記録されている。
【００３４】
図３は、内線電話機２０の実施の一形態をブロックで示す説明図である。
【００３５】
図示される内線電話機２０は、交換装置ＩＦ２１、通話回路２２、送受話機２３、メモリ２４、ＣＰＵ２５、ＳＩＭカード通信回路２６、及びカード装着部２７を有する。内線電話機２０は、カード装着部２７にＳＩＭカード４０（図１参照）が装着された際にＳＩＭカード通信回路２６がＳＩＭカード４０からカード情報を取得し、その情報をＣＰＵ２５、通話回路２２、及び交換装置ＩＦ２１を介して電話交換装置１０に送出する。また、カード装着部２７からＳＩＭカード４０が脱去された際にＳＩＭカード通信回路２６が「カード装着」の無状態を出力し、ＣＰＵ２５が通話回路２２及び交換装置ＩＦ２１を介して電話交換装置１０に通知する。
【００３６】
次に、図４Ａ及び図４Ｂに図１から図３までを併せ参照して内線電話機２０から発呼した場合の動作手順について説明する。この電話交換装置１０は、外線が「０」発信による企業内電話交換機であるとする。
【００３７】
まず、電話交換装置１０では、呼制御回路１５が、内線電話機２０から宛先ダイヤル番号を持つ発呼を受付け（手順Ｓ１）した際にそのダイヤル番号を調査（手順Ｓ２）し、最初が番号「０」の場合には外線呼出し番号（手順Ｓ３のＹＥＳ）なので、所定の外線６０への接続（手順Ｓ４）が実行される。また、例えばボタン電話装置の場合では、外線呼出しは外線ボタンの操作によるものであり、ダイヤル数字からの判定ではない。
【００３８】
上記手順Ｓ３が「ＮＯ」でダイヤル番号「２００１」の場合にはその宛先が内線符号「２０−１」の内線番号（手順Ｓ５のＹＥＳ）なので、ＣＰＵ１６がメモリ１７のＳＩＭカード情報から内線番号「２００１」における携帯電話番号の固定登録を調査（手順Ｓ６）する。そこで、固定登録あり（手順Ｓ７のＹＥＳ）の場合には、次いで、あて先の内線番号「２００１」にＳＩＭカード装着有無が調査（手順Ｓ８）される。
【００３９】
ダイヤル番号「２００１」の場合には「カード装着有り」なので上記手順Ｓ８が「ＹＥＳ」である。この場合、内線電話機２０にはＳＩＭカード４０が装着され、管理者が在席するので、ダイヤル先の番号「２００１」の内線電話機２０を呼び出す所定の処理（手順Ｓ９）を実行する。例えば内線番号「２００２」のように「固定登録」されていても「カード装着無」の場合、手順は、その所持者が内線番号「２００２」の電話機位置に不在のため、ＳＩＭカード装着の電話機を呼び出す手順に進む。すなわち、宛先の内線番号「２００２」を、この番号対応に固定登録されている携帯電話番号「０９０−１１１１−０２０２」に変換し、無線基地局ＩＦ１３を介して無線基地局５０へ発呼の処理（手順Ｓ１０）を実行する。
【００４０】
上記手順Ｓ７が「ＮＯ」で固定登録がない例えば内線番号「２００３」の場合、その内線電話機２０に「カード装着無」（手順Ｓ１１のＮＯ）なので、この内線番号「２００３」の内線電話機位置には応答者が居ないと判断して発呼内線に例えば音声による所定の不在案内（手順Ｓ１２）を実行する。上記手順Ｓ１１が「ＹＥＳ」で内線番号「２０ＮＮ」のように携帯電話番号がある場合、内線電話機位置に応答者が在席していると判断して、手順は、その携帯電話番号とは無関係に、発呼者によるダイヤル番号「２０ＮＮ」の内線を呼び出す上記手順Ｓ９に進む。
【００４１】
他方、上記手順Ｓ５が「ＮＯ」で、発呼内線からの宛先ダイヤルが携帯電話番号であった場合、呼制御回路１５は、ＣＰＵ１６によりメモリ１７のＳＩＭカード情報から宛先携帯電話番号の登録を調査（手順Ｓ２１）する。例えば、ダイヤル番号「０９０−１１１１−０２０１」の場合、その手順Ｓ２１が「ＹＥＳ」なので、これに対応するカード装着の有無が調査（手順Ｓ２２）される。この携帯電話番号「０９０−１１１１−０２０１」に対応したカード装着は「有り」（手順Ｓ２３のＹＥＳ）なので、このダイヤル番号「０９０−１１１１−０２０１」はこれに対応する内線番号「２００１」に変換（手順Ｓ２４）され、その変換先内線番号を有する内線電話機２０の呼出し処理（手順Ｓ２５）が実行される。
【００４２】
また、上記手順Ｓ２１が「ＮＯ」でダイヤルされた携帯電話番号の登録がない場合、又は上記手順Ｓ２３が「ＮＯ」で登録されていてもＳＩＭカードの装着が「無」の場合、何れも、ダイヤルされた携帯電話番号により無線基地局ＩＦ１３から無線基地局５０に対して所定の呼接続処理（手順Ｓ２６）が実行される。
【００４３】
次に、図５に図１から図３までを併せ参照して無線基地局５０から着呼した場合の動作手順について説明する。着呼の際に電話交換装置１０は着呼情報を受付けする。着呼情報には、ＳＩＭカード情報により無線基地局５０に登録した際の登録情報が含まれる。
【００４４】
電話交換装置１０で呼制御回路１５が無線基地局５０から無線基地局ＩＦ１３を介して着呼を受付け（手順Ｓ３１）の際には、ＣＰＵ１６が着呼情報を受けて、メモリ１７のＳＩＭカード情報で着呼情報対応の携帯電話番号登録をメモリ１７のカード情報から検索調査（手順Ｓ３２）する。番号登録あり（手順Ｓ３３のＹＥＳ）の場合、次いで、ＣＰＵ１６は、カード情報から「カード装着」の有無を調査（手順Ｓ３４）し、「カード装着」有り（手順Ｓ３５のＹＥＳ）の場合には検索の携帯電話番号を、対応する内線番号に変換（手順Ｓ３６）して変換先の内線番号で呼出し処理（手順Ｓ３７）が実行される。
【００４５】
上記手順Ｓ３３が「ＮＯ」で携帯電話番号の登録がない場合、又は、上記手順Ｓ３５が「ＮＯ」でカードの装着がない場合には、発呼側に例えば音声により不在案内送出の処理（手順Ｓ３８）を実行する。このような状態は、ＳＩＭカード差替えなどの過渡時点で発生する。
【００４６】
上述したような構成を有するので、ＳＩＭカードを携帯電話機から内線電話機に差替えしても、転送手続などの余計な手続は不要であり、内線電話機同士の相互通信は無料にすることができるほか、携帯電話番号での外線向け発着呼は、契約している携帯電話網の無線基地局と直接接続するので余分な課金を回避できるという経済的効果がある。
【００４７】
なお、上述したようにＳＩＭカードを装着可能な内線電話機を使用することにより、ＳＩＭカードに登録された携帯電話番号を利用した内線電話機の活用が可能になった。しかし、電話機を接続する内線には、本発明によるＳＩＭカード装着可能な内線電話機２０以外、その他、一般の通信端末、例えばファクシミリ装置があり、それらにＳＩＭカードを装着可能であり、上述同様の効果を発揮することができる。また、ＳＩＭカードが装着不能の内線電話機又は通信端末が同時に収容されてもよい。この通信端末に対しては、従来同様のサービスが提供できると共に、ＳＩＭカードの装着された内線電話機とは課金されない相互通話が可能である。
【００４８】
また、電話交換装置１０が構内交換システムにおける交換機の場合、外線６０は専用線を含んでもよい。また、本発明による電話交換装置は、携帯電話番号も処理できるので、上述したように、外線を介さず、無線基地局と直接接続できる。他方、全ての内線電話機がＳＩＭカードの装着可能であれば、上記説明の外線接続部分は削除し、例えば企業内無線基地局としてよい。このような電話交換装置は機能も単純化できるので好ましい。このように、上述した機能を削除して単機能化し経済的にすることもできる。
【００４９】
更に、内線電話機対応に携帯電話番号を固定登録することにより、その契約者、例えば企業役員を呼び出す場合、内線番号及び携帯電話番号のいずれのダイヤル発呼でも、カード装着の内線電話機又は携帯電話機を呼び出すことができるので、在席か外出かによりダイヤル種別を選択する煩わしさから回避できる。他方、営業担当のように外出の多い人の場合、内線電話機を共用しても携帯電話番号でその内線電話機を呼び出せるので上記同様ダイヤル種別の選択という煩わしさから解放され、仕事に集中できる効果がある。
【実施例２】
【００５０】
次に、図６に図１から図３までを併せ参照して、実施例２となる、外線６０から着呼した場合の動作手順について説明する。外線６０から着呼の際には、ダイヤルイン番号により内線番号が指定されるものとする。
【００５１】
電話交換装置１０で呼制御回路１５が外線６０を介して着呼を受付け（手順Ｓ４１）の際には、ＣＰＵ１６がそれを受けて、メモリ１７のＳＩＭカード情報で受けた内線番号対応の携帯電話番号登録をメモリ１７のカード情報から検索調査（手順Ｓ４２）する。携帯電話番号登録あり（手順Ｓ４３のＹＥＳ）の場合、次いでＣＰＵ１６は、カード情報から「カード装着」の有無を調査（手順Ｓ４４）し、「カード装着」無（手順Ｓ４５のＮＯ）の場合には不在なので、その内線番号を対応の携帯電話番号に変換（手順Ｓ４６）して変換先の携帯電話番号で無線基地局５０の呼接続要求処理（手順Ｓ４７）が実行される。
【００５２】
上記手順Ｓ４３が「ＮＯ」で携帯電話番号の登録がない場合、又は、上記手順Ｓ４５が「ＹＥＳ」でカード装着有りの場合には着呼の際の内線番号で呼出し処理（手順Ｓ４８）を実行する。
【００５３】
このような構成により、特別な転送設定処理を実行しなくても、不在の着呼を登録した携帯電話番号に自動的に転送することができる。この場合の課金を避ける場合には、例えば音声案内で不在及び／又は転送先を通知するとしてもよい。また、従来の技術を用いて発信者番号で接続可否を選択することもできる。
【産業上の利用可能性】
【００５４】
宅内の電話交換装置の内線子機に携帯電話サービス用ＳＩＭカードを用いて電話交換装置に携帯電話サービスを容易に付加することができる。すなわち、その機能は、移動体通信網と異なる電話網に接続する交換装置の内線子機に移動体通信網で利用されるＳＩＭカードを装着することによって実現できる。従って、内線子機は情報処理端末を含む通信端末でもよいので、本発明は、料金体系の異なる通信網に契約される多数の通信端末を使用する企業体などの交換システムに効果的に適用可能である。
【図面の簡単な説明】
【００５５】
【図１】本発明による携帯電話サービス用ＳＩＭカードを利用した交換システムの実施の一形態をブロックで示した説明図である。（実施例１）
【図２】図１の交換システムにおけるメモリの実施の一形態をテーブルで示した説明図である。（実施例１）
【図３】図１の交換システムにおける内線電話機の実施の一形態をブロックで示した説明図である。（実施例１）
【図４Ａ】図１の交換システムにおける内線電話機から発呼の際の主要動作手順の実施の一形態をフローチャートで示した説明図である。（実施例１）
【図４Ｂ】図４Ａに続く主要動作手順の携帯電話番号ダイヤルにおける実施の一形態をフローチャートで示した説明図である。（実施例１）
【図５】図１の交換システムにおける無線基地局から着呼の際の主要動作手順の実施の一形態をフローチャートで示した説明図である。（実施例１）
【図６】図１の交換システムにおける外線から着呼の際の主要動作手順の実施の一形態をフローチャートで示した説明図である。（実施例２）
【図７】従来の携帯電話サービス用ＳＩＭカードを利用した交換システムの一例をブロックで示した説明図である。
【符号の説明】
【００５６】
１０    電話交換装置
１１    ＳＷ（スイッチ）
１２    内線ＩＦ（インタフェース）
１３    無線基地局ＩＦ
１４    外線ＩＦ（インタフェース）
１５    呼制御回路
１６、２５    ＣＰＵ（プロセッサ）
１７、２４    メモリ
１７Ａ    カード情報
２０    内線電話機
２１    交換装置ＩＦ（インタフェース）
２２    通話回路
２３    送受話機
２６    ＳＩＭカード通信回路
２７    カード装着部
３０    携帯電話機
４０    ＳＩＭカード
【図１】
2008061059.tif 000003
【図２】
2008061059.tif 000004
【図３】
2008061059.tif 000005
【図４Ａ】
2008061059.tif 000006
【図４Ｂ】
2008061059.tif 000007
【図５】
2008061059.tif 000008
【図６】
2008061059.tif 000009
【図７】
2008061059.tif 000010